(57)【要約】      （修正有）【課題】手に障害を持つ者が一人でプッシュ式ベルト腕時計を簡単に外す事が出来る腕時計取外し携帯用具を提供する。【解決手段】腕時計を装着した腕側の手のひらでレバー部分を押し下げてベルトプッシュ部を外す補助用具であり、腕時計のベルトプッシュ部を固定押え板３と可動押え板４-１の間に上部より添えて、手のひらで押下げ一体レバー５-１を押下げると可動ピン１０を支点に嵌合した系止部６が外れて、バネ７の圧力により可動押え板４-１が可動ピン９を支点に固定押え板３側に傾くことで、可動押え板と固定押え板でベルトプッシュ部が押し込まれて腕時計のベルトが外れる。【選択図】図２
0003208417.tif 000002
【実用新案登録請求の範囲】
【請求項１】
固定の押え板と略Ｌ字状の可動押え板とが、２枚の測板の間に一定間隔に並び、当核固定押え板と前記可動押え板の一部が前記測板上部から露出するように設置され、前記可動押え板はその中心部近傍が可動ピンで固定され、当核可動ピンを支点に自在可動状態で前記側板に設置され、さらに当核可動押え板の一部に系止部を有していて、押し下げ一体レバーは略Ｔ字形状とし、その一端が前記固定押え板と前記可動押え板の間に一部露出で設置し、前記押下げ一体レバーの他端近傍部が可動ピンにより、前記側板に自在可動状態に設置され、さらに当核押下げ一体レバーの別の他端近傍部に、前記可動押え板の系止部と嵌合する系止部を有し、前記押下げ一体レバーと前記可動押え板のとの間には、前記系止部が系合した状態でバネが縮まった状態で設置され、前記可動押え板と前記押下げ一体レバーが静止状態となり、前記押下げ一体レバーの露出した一端が押圧により下がった時、前記嵌合した系止が外れ、前記バネの圧力により、前記可動押え板が前記可動ピンを支点に前記固定押え板側に傾くことを特徴とする腕時計取外し携帯用具。
【請求項２】
請求項１に係る前記押下げレバーの系止部を有する側の端部から、さらに上方側に伸びる部分を付加したことを特徴とする腕時計取外し携帯用具。
【請求項３】
請求項１及び請求項２に係る側板に底板を有することを特徴とする腕時計取外し携帯用具。
【請求項４】
請求項１、請求項２、請求項３において、前記側板を固定する固定板を、前記底板と反対側に有することを特徴とする腕時計取外し携帯用具。
【考案の詳細な説明】
【技術分野】
【０００１】
本考案は、プッシュ式ベルト腕時計を装着した側の片手だけで外せる携帯用具に関するものである。
【背景技術】
【０００２】
手に障害を持つ者がプッシュ式ベルト腕時計を外す行為としては、他人に手伝って貰わないと簡単に外す事が出来ない。
【考案の概要】
【考案が解決しようとする課題】
【０００３】
本考案の携帯用具があれば自分の外したい時にいつでも自分一人で簡単に外すことが出来るので、必要に応じて気軽に腕時計を装着することができ、前途を解決するものである。
【課題を解決するための手段】
【０００４】
固定の押え板と略Ｌ字状の可動押え板とが、２枚の測板の間に一定間隔に並び、当核固定押え板と前記可動押え板の一部が前記測板上部から露出するように設置され、前記可動押え板はその中心部近傍が可動ピンで固定され、当核可動ピンを支点に自在可動状態で前記側板に設置され、さらに当核可動押え板の一部に系止部を有していて、押し下げ一体レバーは略Ｔ字形状とし、その一端が前記固定押え板と前記可動押え板の間に一部露出で設置し、前記押下げ一体レバーの他端近傍部が可動ピンにより、前記側板に自在可動状態に設置され、さらに当核押下げ一体レバーの別の他端近傍部に、前記可動押え板の系止部と嵌合する系止部を有し、前記押下げ一体レバーと前記可動押え板のとの間には、前記系止部が系合した状態でバネが縮まった状態で設置され、前記可動押え板と前記押下げ一体レバーが静止状態となり、前記押下げ一体レバーの露出した一端が押圧により下がった時、前記嵌合した系止が外れ、前記バネの圧力により、前記可動押え板が前記可動ピンを支点に前記固定押え板側に傾くことを特徴とする腕時計取外し携帯用具。
【０００５】
次に請求項１に係る前記押下げレバーの系止部を有する側の端部から、さらに上方側に伸びる部分を付加したことを特徴とする腕時計取外し携帯用具。
【０００６】
又は請求項１及び請求項２に係る側板に底板を有することを特徴とする腕時計取外し携帯用具。
【０００７】
さらに請求項１、請求項２、請求項３において、前記側板を固定する固定板を、前記底板と反対側に有することを特徴とする腕時計取外し携帯用具。
【考案の効果】
【０００８】
上述の様に、本考案のプッシュ式ベルト腕時計を片手で外す携帯用具によって、手に障害を持つ者が必要に応じて気軽に腕時計を利用できることに役立つ。
【図面の簡単な説明】
【０００９】
【図１】本考案の側面図。
【図２】本考案の嵌合した系止が外れた状態の側面図。
【図３】本考案の上面図。
【考案を実施するための形態】
【００１０】
腕に装着した腕時計のベルトプッシュ部分を携帯用具の上部に添えて装着した腕側の手のひらで携帯用具のレバー部分を押下げることにより内部に設けたバネにより可動押え板が固定押え板側に倒れる応力により腕時計のベルトプッシュ部が押され外れる仕組みである。
【実施例】
【００１１】
以下、添付図面に従って実施例を説明する。
手先を押下げ一体レバー５-１に向けて、腕に装着した腕時計のベルトプッシュ部を固定押え板３と可動押え板４-１の間に上部より添えて手のひらで押下げ一体レバー５-１を押下げると可動ピン１０を支点に嵌合した系止部６が外れて、バネ７の圧力により可動押え板４-１が可動ピン９を支点に固定押え板３側に傾くことで可動押え板と４-１と固定押え板３でベルトプッシュ部を押し込み腕時計のベルトが外れる。尚、本体は木製並びアクリル製等の軽量適正素材にて形成される。
【符号の説明】
【００１２】
１    側板
２    底板
３    固定押え板
４-１ 可動押え板
４-２ 可動押え板戻しレバー
５-１ 押下げ一体レバー
５-２ 押下げ一体レバー
６    系止部
７    バネ
８    両側板の固定金具
９    可動押え板の可動ピン
１０    押下げ一体レバーの可動ピン
【図１】
0003208417.tif 000003
【図２】
0003208417.tif 000004
【図３】
0003208417.tif 000005
【手続補正書】
【提出日】平成28年11月9日(2016.11.9)
【手続補正１】
【補正対象書類名】実用新案登録請求の範囲
【補正対象項目名】全文
【補正方法】変更
【補正の内容】
【実用新案登録請求の範囲】
【請求項１】
固定の押え板と略Ｌ字状の可動押え板とが、２枚の側板の間に一定間隔に並び、当該固定押え板と前記可動押え板の一部が前記側板上部から露出するように設置され、前記可動押え板はその中心部近傍が可動ピンで固定され、当該可動ピンを支点に自在可動状態で前記側板に設置され、さらに当該可動押え板の一部に係止部を有していて、押し下げ一体レバーは略Ｔ字形状とし、その一端が前記固定押え板と前記可動押え板の間に一部露出で設置し、前記押下げ一体レバーの他端近傍部が可動ピンにより、前記側板に自在可動状態に設置され、さらに当該押下げ一体レバーの別の他端近傍部に、前記可動押え板の係止部と嵌合する係止部を有し、前記押下げ一体レバーと前記可動押え板のとの間には、前記係止部が係合した状態でバネが縮まった状態で設置され、前記可動押え板と前記押下げ一体レバーが静止状態となり、前記押下げ一体レバーの露出した一端が押圧により下がった時、前記嵌合した係止が外れ、前記バネの圧力により、前記可動押え板が前記可動ピンを支点に前記固定押え板側に傾くことを特徴とする腕時計取外し携帯用具。
【請求項２】
前記押下げレバーの係止部を有する側の端部から、さらに上方側に伸びる部分を付加したことを特徴とする、請求項１に記載の腕時計取外し携帯用具。
【請求項３】
側板に底板を有することを特徴とする、請求項１又は請求項２に記載の腕時計取外し携帯用具。
【請求項４】
前記側板を固定する固定板を前記底板と反対側に有することを特徴とする請求項３に記載の腕時計取外し携帯用具。